(57)【要約】【課題】  複写禁止頁を含む原稿が読み込まれた場合、複写禁止頁が読み込まれたことを外部に送信できるようにする。【解決手段】  画像読込手段９は原稿を読み込んで画像データを生成する。記憶手段１１は生成画像データを記憶する。パターン情報検知手段１３は記憶された画像データ中に複写禁止頁を示すパターン情報が存在するか否かを検知する。送信手段１９はパターン情報の存在が検知されたとき予め設定された送信先にその複写禁止頁に係る読込情報を送信する。【選択図】  図１
2008060998.tif 000002
【特許請求の範囲】
【請求項１】
原稿を読み込んで画像データを生成する画像読込手段と、
生成された前記画像データを記憶する記憶手段と、
記憶された前記画像データ中に複写禁止頁を示すパターン情報が存在するか否かを検知するパターン情報検知手段と、
前記パターン情報の存在が検知されたとき、予め設定された送信先に前記複写禁止頁に係る読込情報を送信する送信手段と、
を具備することを特徴とする画像処理装置。
【請求項２】
前記送信手段は、前記送信先としての電子メールアドレスに前記読込情報を送信するものである請求項１記載の画像処理装置。
【請求項３】
前記送信手段は、前記送信先としての回線番号に前記読込情報をファクシミリ送信するものである請求項１記載の画像処理装置。
【請求項４】
前記送信手段は、検知された前記複写禁止頁の画像データを含むデータを前記読込情報として送信するものである請求項１〜３いずれか１記載の画像処理装置。
【請求項５】
前記送信手段は、前記原稿における前記複写禁止頁の位置、当該装置を特定する特定符号、前記画像データの生成時期、当該装置の操作者特定情報の少なくとも１つ以上のデータを前記読込情報として送信するものである請求項１〜４いずれか１記載の画像処理装置。
【請求項６】
前記パターン情報の存在が検知されたとき、前記複写禁止頁を同一濃度の画像データに変換する画像データ変換手段を有する請求項１〜５いずれか１記載の画像処理装置。
【請求項７】
前記画像データを印刷する印刷手段を有する請求項１〜６いずれか１記載の画像処理装置。
【請求項８】
原稿を読み込んで生成した画像データを記憶し、この記憶された前記画像データから複写禁止頁を示すパターン情報の有無を検知する機能を実行する画像処理用コンピュータに、
前記原稿を読み込んで前記画像データを生成する画像読込処理と、
生成された前記画像データを記憶する記憶処理と、
記憶された前記画像データ中に前記パターン情報が存在するか否かを検知するパターン情報検知処理と、
前記パターン情報の存在が検知されたとき、予め設定された送信先に前記複写禁止頁に係る読込情報を送信する送信処理と、
を実行させることを特徴とする画像処理プログラム。
【請求項９】
前記送信処理は、前記送信先としての電子メールアドレスに前記読込情報を送信する請求項８記載の画像処理プログラム。
【請求項１０】
前記送信処理は、前記送信先としての回線番号に前記読込情報をファクシミリ送信する請求項８記載の画像処理プログラム。
【請求項１１】
前記送信処理は、検知された前記複写禁止頁の画像データを含むデータを前記読込情報として送信する請求項８〜１０いずれか１記載の画像処理プログラム。
【請求項１２】
前記送信処理は、前記原稿における前記複写禁止頁の位置、当該装置を特定する特定符号、前記画像データの生成時期、当該装置の操作者特定情報の少なくとも１つ以上のデータを前記読込情報として送信する請求項８〜１１いずれか１記載の画像処理プログラム。
【請求項１３】
前記パターン情報の存在が検知されたとき、前記複写禁止頁を同一濃度の画像データに変換する画像データ変換処理を実行する請求項８〜１２いずれか１記載の画像処理プログラム。
【請求項１４】
前記画像データを印刷する印刷処理を実行する請求項８〜１３いずれか１記載の画像処理プログラム。
【請求項１５】
前記請求項８〜１４いずれか１記載の画像処理プログラムを記憶することを特徴とする記憶媒体。
【発明の詳細な説明】
【技術分野】
【０００１】
本発明は画像処理装置、画像処理プログラムおよび記憶媒体に係り、複写抑止機能を搭載した複写機、ファクシミリ機およびこれらの複合機（ＭＦＰ：Multi Function Peripheral）に用いて好適する画像処理装置、画像処理プログラムおよび記憶媒体の改良に関する。
【背景技術】
【０００２】
従来、市場における文書セキュリティ向上の要求に応えるため、複写を禁止する文書であることを示すパターン情報を予め原稿に埋め込んでおき、そのパターン情報が検出された場合、何らかの手段で複写を抑止する機能を搭載した複写機等が製品化されている。
【０００３】
すなわち、図４Ａに示すように、用紙１に対し、小さなドットからなる背景領域３ａと、この背景領域３ａ中に埋め込まれた若干大きなドットからなり複写を禁止する趣旨のメッセージ情報３ｂ（同図Ａでは見えない）とからなるパターン情報５を印刷するとともに、さらに当該用紙１に目的の文書内容を印刷して例えば「契約書」を作成する。
【０００４】
この印刷済み用紙１を複写機で複写すると、図４Ｂに示すように、複写物１ａには背景領域３ａ中に埋め込んだ「複写禁止」といったメッセージ情報３ｂが黒く浮かび上がったり、同図Ｃに示すように、複写物１ｂには背景領域３ａが浮かび上がってメッセージ情報３ｂを白抜き状態にすることにより、複写操作者に対してその印刷済み用紙１が複写禁止されているものである旨を間接的に告知し、複写を抑制するものである。
【０００５】
用紙１の背景領域３ａ中に埋め込んだメッセージ情報３ｂが、図４Ｂのように黒く浮かび上がる理由は、図５Ａのような小さなドットｄ１が、図５Ｂのように大きなドットｄ２を埋め込むことにより、小さなドットｄ１が大きなドットｄ２より複写再現され難いことによる。
【０００６】
用紙１に背景領域３ａが図４Ｃのように黒く浮かび上がる場合は、逆に、背景領域３ａを図５Ｂのような大きなドットｄ２とし、メッセージ情報３ｂも同図Ａのように小さなドットｄ１にすることによって得られる。
【０００７】
また、文書セキュリティを確保するために、例えば特開２００５−１４２９１８号公報（特許文献１）に示すような構成も提案されている。
【０００８】
この構成は、画像読取手段で原稿画像を読み取った画像データから、ドットパターン検出手段によってその画像データに含まれる背景画像又は画像に埋め込まれたドットパターンを検出し、この検出したドットパターンと予め設定されたドットパターンとをドットパターン判定手段によって比較し、互いの同一性が判定された場合、再現規制手段にて当該装置が具備する例えば画像複写機能を規制する構成を有し、当該装置が具備する各機能規制を介して機密文書の不正流出を防止するものである。
【特許文献１】特開２００５−１４２９１８号公報
【発明の開示】
【発明が解決しようとする課題】
【０００９】
しかしながら、上述したように用紙１に背景領域３ａとして細かいドットパターンを印刷するとともに背景領域３ａ中に「複写禁止」を示すパターン情報５を埋め込む構成では、複写物１ａにメッセージ情報３ｂを顕著に表示させ、当該印刷済み用紙１が複写禁止されているものである旨を間接的に告知するだけであり、どのような原稿が不正に読み込まれたり複写されようとしたかを作成者又は管理者等が把握し難く、機密文書の管理上から改善が望まれていた。
【００１０】
また、上述した特許文献１についても、複写時に複写禁止を示すドットパターンが検出されても、例えば複写を規制して複写され難くする技術を開示するのみであり、どのような原稿が不正に読み込まれたり複写されようとしたかを作成者又は管理者等が把握し難く、同様の課題を有している。
【００１１】
本発明はそのような課題を解決するためになされたもので、原稿が読み込まれたとき、複写禁止原稿が読み込まれことを遠隔的に把握し易くした画像処理装置、画像処理プログラムおよび記憶媒体の提供を目的とする。
【課題を解決するための手段】
【００１２】
そのような課題を解決するために本発明に係る画像処理装置は、原稿を読み込んで画像データを生成する画像読込手段と、生成されたその画像データを記憶する記憶手段と、記憶されたその画像データ中に複写禁止頁を示すパターン情報が存在するか否かを検知するパターン情報検知手段と、そのパターン情報の存在が検知されたとき、予め設定された送信先に複写禁止頁に係る読込情報を送信する送信手段とを具備している。
【００１３】
本発明の画像処理装置では、上記送信手段が送信先としての電子メールアドレスにその読込情報を送信したり、回線番号にその読込情報をファクシミリ送信するよう形成可能である。
【００１４】
本発明の画像処理装置では、上記送信手段が、検知されたその複写禁止頁の画像データを含むデータをその読込情報として送信したり、その原稿における複写禁止頁の位置、当該装置を特定する特定符号、その画像データの生成時期、当該装置の操作者特定情報の少なくとも１つ以上のデータをその読込情報として送信するよう形成可能である。
【００１５】
本発明の画像処理装置では、上記パターン情報の存在が検知されたとき、その複写禁止頁を同一濃度の画像データに変換する画像データ変換手段を有する構成、上記画像データを印刷する印刷手段を有する構成が可能である。
【００１６】
そして、本発明の画像処理プログラムでは、原稿を読み込んで生成した画像データを記憶し、この記憶されたその画像データから複写禁止頁を示すパターン情報の有無を検知する機能を実行する画像処理用コンピュータに、その原稿を読み込んでその画像データを生成する画像読込処理と、生成されたその画像データを記憶する記憶処理と、記憶されたその画像データ中にそのパターン情報が存在するか否かを検知するパターン情報検知処理と、そのパターン情報の存在が検知されたとき、予め設定された送信先に複写禁止頁に係る読込情報を送信する送信処理とを実行させるものである。
【００１７】
本発明の画像処理プログラムでは、上記送信処理が送信先としての電子メールアドレスにその読込情報を送信したり、上記送信処理が送信先としての回線番号に読込情報をファクシミリ送信する構成も可能である。
【００１８】
本発明の画像処理プログラムでは、上記送信処理が、検知されたその複写禁止頁を含むデータを読込情報として送信したり、その原稿における複写禁止頁の位置、当該装置を特定する特定符号、その画像データの生成時期、当該装置の操作者特定情報の少なくとも１つ以上のデータをその読込情報として送信する構成が可能である。
【００１９】
本発明の画像処理プログラムでは、上記パターン情報の存在が検知されたとき、その複写禁止頁を同一濃度の画像データに変換する画像データ変換処理を実行したり、上記画像データを印刷する印刷処理を実行する構成が可能である。
【００２０】
さらに、本発明の記憶媒体は、それらいずれかの画像処理プログラムを記憶するものである。
【発明の効果】
【００２１】
このような本発明に係る画像処理装置および画像処理プログラムでは、画像読込手段で原稿を読み込んで画像データを生成し、生成されたその画像データを記憶手段に記憶し、記憶された画像データ中に複写禁止頁を示すパターン情報が存在するか否かをパターン情報検知手段で検知し、そのパターン情報の存在が検知されたとき、予め設定された送信先に送信手段から複写禁止頁に係る読込情報を送信するから、原稿中の複写禁止原稿が読み込まれたとき、それを管理者等が遠隔的に把握し易い。
【００２２】
本発明において、上記送信手段が、送信先としての電子メールアドレスにその読込情報を送信したり、回線番号にその読込情報をファクシミリ送信する構成では、読み込まれた複写禁止原稿を管理者が電子メールやファクシミリによって遠隔的に把握可能である。
【００２３】
本発明において、検知されたその複写禁止頁の画像データを含むデータをその読込情報として上記送信手段で送信する構成では、具体的にどの複写禁止頁が読み込まれたかを画像データから把握可能である。
【００２４】
本発明において、その原稿における複写禁止頁の位置、当該装置を特定する特定符号、前記画像データの生成時期、操作者特定情報の少なくとも１つ以上のデータをその読込情報として上記送信手段で送信する構成では、原稿中の何枚目が複写禁止頁として読み込まれたか、どの機器で読み込まれたか、いつ読み込まれたか、読込み操作者が誰か、といった項目を具体的に特定可能である。
【００２５】
本発明において、上記パターン情報の存在が検知されたとき、その複写禁止頁を同一濃度の画像データに画像データ変換手段で変換したり、上記画像データを印刷手段で印刷する構成では、複写禁止頁を同一濃度の画像データに変換して視覚的に判別し難くできるし、印刷出力が可能である。
【００２６】
そして、本発明の記憶媒体では、それらいずれかの画像処理プログラムを記憶するから、それら画像処理プログラムを有体物の形態で扱える。
【発明を実施するための最良の形態】
【００２７】
以下、本発明に係る実施の形態を図面を参照して説明する。
【００２８】
図１は本発明に係る画像処理装置の実施の一形態を示すブロック図である。本発明に係る画像処理プログラムおよびこれを格納した記憶媒体は、画像処理装置を説明する過程で説明する。
【００２９】
図１において、本発明に係る画像処理装置は、バス７を介して接続された画像読込手段９、記憶手段１１、パターン情報検知手段１３、画像データ変換手段１５、印刷手段１７、送受信手段（送信手段）１９、インターフェース手段２１およびこれらを制御する制御手段２３を有して構成されている。
【００３０】
画像読込手段９は、制御手段２３の制御の下、例えば印刷された原稿を光学的に読み込み、フィルタ処理、変倍処理、γ処理および階調処理等をして電子的画像データを生成する公知のデジタル複写機の読取り手段やスキャナーであり、生成した画像データが原稿の頁毎に記憶手段１１に順次記憶されるようになっている。
【００３１】
パターン情報検知手段１３は、制御手段２３の制御の下、記憶手段１１に記憶された画像データを頁単位で読出し、画像データ中に複写禁止頁を示すパターン情報が存在するか否かを検知し、そのパターン情報の存在が検知されたとき、その複写禁止頁に係る読込情報を作成し、記憶手段１１に記憶する機能を有している。
【００３２】
画像データ中における複写禁止頁を示すパターン情報５は、例えば上述した図４および図５で説明したように、小さなドットｄ１の背景領域３ａ中に、大きなドットｄ２で複写禁止を示すメッセージ情報３ｂが埋め込まれて形成されており、画像読込手段９で読み込まれたとき、背景領域３ａ中に埋め込んだ「複写禁止」といったメッセージ情報３ｂが図４Ｂに示すように黒く浮かび上がるようになっている。
【００３３】
なお、背景領域３ａのドットｄ１と複写禁止を示すメッセージ情報３ｂのドットｄ２を逆にすれば、背景領域３ａが浮かび上がる一方、メッセージ情報３ｂが白抜き状態になる。
【００３４】
パターン情報検知手段１３は、例えば、背景領域３ａから公知のパターンマッチング法によってドットｄ１を検知し、所定の面積内でのドット数をカウンタ処理してドット密度を算出する一方、パターン情報領域から同様のパターンマッチング法によってドットｄ２を検知し、所定の面積内でのドット数をカウンタ処理してパターン情報５のドット密度を算出し、例えば記憶手段１１に予め設定記憶された同一性判断の許容値となる閾値（基準ドット密度）とそれら算出ドット密度を比較し、閾値（基準ドット密度）内に含まれていると判定した場合、パターン情報の存在を検出する。
【００３５】
パターン情報検知手段１３は、画像データ中にパターン情報５を検出したとき、読込み原稿中に複写禁止頁が存在する旨の情報の他、検知されたその複写禁止頁の画像データを有する読込情報を作成する機能を有している。
【００３６】
読込情報としては、読込み原稿における複写禁止頁の位置（頁数や頁番号）、当該複写機を特定する特定符号（機器番号）、画像データの読込み生成時期（日時）、又は当該複写機等が操作者の特定情報（ＩＤ番号）等の入力を必要とする場合にその入力特定情報（ＩＤ番号）のうち、少なくとも１つ以上のデータを含ませることが好ましい。
【００３７】
画像データ変換手段１５は、パターン情報検知手段１３が画像データ中にパターン情報５を検出したとき、制御手段２３の制御の下、パターン情報５の検知された複写禁止頁を同一濃度の画像データに変換するとともに変換前の画像データに置き換えて記憶手段１１に格納する機能を有している。
【００３８】
同一濃度の画像データとしては、文字や線画の判別や識別が困難なように白紙画像データ、黒色や灰色の画像データに変換することが考えられる。
【００３９】
印刷手段１７は、パターン情報検知手段１３が当該画像データ中の全ての頁についてパターン情報５の有無を検出したとき、制御手段２３の制御の下、変換画像データを含む画像データを印刷する公知のモノクロ又はカラー印刷エンジンである。
【００４０】
送信手段１９は、パターン情報検知手段１３が当該画像データ中の全ての頁についてパターン情報５の有無を検出したとき、制御手段２３の制御の下、予め設定された送信先に読込情報を送信する公知の手段であり、例えばネットワーク２５およびルータ２７を介してインターネット２９に接続されている。
【００４１】
すなわち、送信手段１９は、記憶手段１１に格納された上記読込情報および送信先としての電子メールアドレスを読出し、それらを電子メールにしてネットワーク２５に出力するとともに、ネットワーク２５から電子メールを受信する送受信手段として機能するものである。
【００４２】
送信手段１９は、上記読込情報について所定の符号化処理を施し、記憶手段１１に格納された送信先としての回線番号に対してファクシミリ送信する機能を有するよう形成することも可能である。
【００４３】
インターフェース手段２１は、後述する画像処理プログラムを格納する例えばハードディスク（ＨＤＤ）、ＵＳＢメモリ、フレキシブルディスクその他公知の外部記憶媒体３１に対し、制御手段２３の制御の下、その画像処理プログラムの読出を制御する入出力制御部である。
【００４４】
制御手段２３は、上述したように、バス７を介して接続された画像読込手段９、記憶手段１１、パターン情報検知手段１３、画像データ変換手段１５、印刷手段１７、送受信手段（送信手段）１９、インターフェース手段２１の機能を制御する例えばＣＰＵ等であり、それらの一部を実質的に構成している場合もある。
【００４５】
記憶手段１１は、制御手段２３の動作プログラムを格納する他、上述したように、生成した画像データ、閾値（基準ドット密度）、読込情報、変換された画像データ、送信先としての電子メールアドレスやファクシミリ回線番号を格納する機能を有する読み書き可能なメモリである。
【００４６】
なお、図１中の符号３３は、インターネット２９に接続された管理者用のホストコンピュータであり、送信手段１９からの読取情報を受信して表示及び又は印刷可能になっている。
【００４７】
また、上述した閾値（基準ドット密度）、操作者の特定情報（ＩＤ番号）、電子メールアドレスおよびファクシミリ回線番号等は、例えば、当該装置本体ケース（図示せず。）に配置された表示部と入力部を兼ねた液晶タッチパネルからなり、図１中のバス７を介して制御手段２３によって制御される操作表示手段から入力される。
【００４８】
次に、本発明の画像処理装置の動作を図２のフローチャートおよび図３の動作概念図を参照して説明する。
【００４９】
プログラムが開始されると、ステップＳ１にて原稿としての用紙１を画像読込手段９で読み込んで画像データを生成する画像読込処理を実行し、ステップＳ２にてその画像データを記憶手段１１に記憶する記憶処理を実行し、続くステップＳ３にて画像データ中に複写禁止を示すパターン情報５が存在するか否かパターン情報検知手段１３にてパターン情報検知処理を実行する。
【００５０】
全ての画像データ中にパターン情報５が存在しなくてステップＳ３がＮＯの場合にはステップＳ６に移る。
【００５１】
全ての画像データ中の何れかの頁にパターン情報５が存在してステップＳ３がＹＥＳの場合には、ステップＳ４にて上述した読込情報を予め設定された送信先に対し送信手段１９で電子メール又はファクシミリ送信処理を実行する。
【００５２】
続くステップＳ５にてパターン情報５の検知された複写禁止頁の画像データを画像データ変換手段１５にて例えば白紙画像データに変換する変換処理を実行し、ステップＳ６にてその変換画像データを含む全ての画像データを印刷処理して終了する。ステップＳ５とＳ６は順序を変えることが可能である。
【００５３】
例えば図３に示すように、「ＡＢＣ」と表示された複写禁止頁のある用紙１が読み込まれた場合、その複写禁止頁が送信手段１９から送信される一方、当該複写禁止事項が印刷手段１７から白紙出力される。
【００５４】
そして、それらの実行処理が本発明に係る画像処理プログラムであり、本発明に係る記憶媒体３１はそれら画像処理プログラムを格納したものである。
【００５５】
このように本発明の画像処理装置では、原稿を読み込んで画像データを生成する画像読込手段９と、生成された画像データ、送信先としての電子メールアドレスやファクシミリ回線番号を記憶する記憶手段１１と、記憶された画像データ中に複写禁止頁を示すパターン情報５が存在するか否かを検知するパターン情報検知手段１３と、そのパターン情報５の存在が検知されたとき予め設定された送信先にその複写禁止頁に係る読込情報をその複写禁止頁を含めて送信する送信手段１９と、上記パターン情報の存在が検知されたときその複写禁止頁を同一濃度の画像データに変換する画像データ変換手段１５と、その画像データを印刷する印刷手段１７を具備している。
【００５６】
そのため、複写禁止原稿を含む原稿が読み込まれた場合、複写禁止頁が読み込まれたことを示す読込情報が電子メールによってメールアドレス先に送信されたり、ファクシミリ回線番号先にファクシミリ送信されるから、例えば管理者が、複写禁止頁が読み込まれたことを電子メールやファクシミリによって遠隔的に把握可能である。
【００５７】
そして、その読込情報として複写禁止頁を含めて送信するから、具体的にどの複写禁止頁が読み込まれたか把握可能であり、機密文書の漏洩経路特定の参考になり得る。
【００５８】
また、パターン情報５の検知された複写禁止頁を同一濃度、例えば白紙の画像データに変換するから、複写禁止頁の内容をそのまま出力させ難いし、複写禁止頁の内容を視覚的に判別し難くした状態で印刷出力可能となり、複写禁止頁の複写を抑えることが可能である。
【００５９】
さらに、送信する読込情報としては、その原稿における複写禁止頁の位置、当該装置を特定する特定符号、画像データの生成時期又は操作者特定情報の少なくとも１つ以上のデータを送信するから、原稿中の何枚目が読み込まれたか、どの機器で読み込まれたか、いつ読み込まれたか、読込み操作者が誰か、といった項目を具体的に特定可能で、機密文書の漏洩経路を特定し易くなる。
【００６０】
もっとも、本発明においては、画像読込手段９、記憶手段１１、パターン情報検知手段１３、送信手段１９を具備して構成すれば、本発明の目的達成が可能であり、必ずしも画像データ変換手段１５や印刷手段１７は必須ではないし、記憶手段１１も生成された画像データを記憶し、送信手段１９もその複写禁止頁に係る読込情報を送信する機能を有していれば本発明の目的達成が可能である。
【００６１】
そして、画像読込手段９、記憶手段１１、パターン情報検知手段１３、画像データ変換手段１５、印刷手段１７および送信手段１９は、必ずしもバス７を介して接続される構成に限らず、画像読込手段９としてのスキャナー、記憶手段１１、パターン情報検知手段１３、画像データ変換手段１５および送信手段１９としてのパソコン、印刷手段としてのプリンタを例えばネットワークを介して接続した構成においても実施可能である。
【００６２】
また、本発明に係る上述した画像処理プログラムにおいても、上記送信処理が送信先としての電子メールアドレスにその読込情報を送信したり、上記送信処理が送信先としての回線番号に読込情報をファクシミリ送信したり、検知された複写禁止頁を含む画像データを読込情報として送信する処理を有する構成が可能である。
【００６３】
さらに、本発明の画像処理プログラムにおいて、その原稿における複写禁止頁の位置、当該装置を特定する特定符号、画像データの生成時期、操作者特定情報の少なくとも１つ以上のデータをその読込情報として送信する構成、上記パターン情報の存在が検知されたとき、その複写禁止頁を同一濃度の画像データに変換する画像データ変換処理を実行したり、上記画像データを印刷する印刷処理を実行する構成も可能であり、上述した画像処理装置と同様な効果を得ることができる。
【００６４】
なお、本発明におけるパターン情報検知方法は、上述したように背景領域３ａから公知のパターンマッチング法によってドットパターンを検知するとともに所定の面積内でのドット密度を算出し、閾値（基準ドット密度）と比較してパターン情報５の有無を検知する手法の他、ドットを形成するドット寸法の大小、ドット形状や配列方法の差異によって検知可能であるし、単にドットパターンの有無等によって検知する等、種々の手法が適用可能である。
【図面の簡単な説明】
【００６５】
【図１】本発明に係る画像処理装置の実施の一形態を示すブロック図である。
【図２】図１の画像処理装置の動作を説明するフローチャートである。
【図３】図１の画像処理装置の動作を説明する動作概念図である。
【図４】複写禁止を示すパターン情報を埋め込んだ用紙を説明する図である。
【図５】複写禁止頁を表現するドットパターンを説明する図である。
【符号の説明】
【００６６】
１  用紙
１ａ、１ｂ  複写物
３  背景領域
５  パターン情報（複写禁止）
７  バス
９  画像読込手段
１１  記憶手段
１３  パターン情報検知手段
１５  画像データ変換手段
１７  印刷手段
１９  送信手段（送受信手段）
２１  インターフェース手段
２３  制御手段
２５  ネットワーク
２７  ルータ
２９  インターネット
３１  記憶媒体
３３  ホストコンピュータ
ｄ１、ｄ２  ドット
【図１】
2008060998.tif 000003
【図２】
2008060998.tif 000004
【図３】
2008060998.tif 000005
【図４】
2008060998.tif 000006
【図５】
2008060998.tif 000007